(57)【要約】　　　（修正有）【課題】収納部を設け、非使用時には、その収納部内に備品を収納して保管することが出来る頭部装着体を提供する。【解決手段】帽体部２の下周縁部には、垂布４が吊設されており、この垂布４の左右外側面には、ファスナー１０が取着されている。よって、ファスナー１０よりも下方に垂下する垂布４を帽体部２内にしまい込み、ファスナー１０を閉じることにより、帽体部２内には、袋状の収納部が形成されるので、帽子１の非使用時には、かかる収納部内に備品を収納して保管することができる。【選択図】　　　図２
0003100077.tif 000002
【実用新案登録請求の範囲】
【請求項１】
　頭部に被せられる帽体部と、その帽体部の前側に形成される鍔部とを備えた頭部装着体において、
　前記帽体部の下周縁部から下方に吊設され、首筋部および両耳部を覆う垂布と、
　その垂布の右側外側部に配設される第１係合部と、
　その第１係合部と係合脱離可能に形成され、前記垂布の左側外側面であって前記第１係合部と対応する位置に配設される第２係合部とを備え、
　前記垂布を前記帽体部内に収納すると共に、前記第１係合部と第２係合部とを係合することにより、前記帽体部内に袋状の収納部を形成可能に構成されていることを特徴とする頭部装着体。
【請求項２】
　前記垂布は、前記帽体部内に収納された場合に、その先端部を折り返すことにより、前記袋状の収納部の開口部を閉封可能な長さに構成されていることを特徴とする請求項１記載の頭部装着体。
【請求項３】
　前記帽体部内には、樹脂材料から構成される保護帽が装着されていることを特徴とする請求項１又は２に記載の頭部装着体。
【請求項４】
　前記帽体部と保護帽との間には、緩衝材が介装されていることを特徴とする請求項３記載の頭部装着体。
【請求項５】
　前記垂布は、その端縁部に反射材が取着されていることを特徴とする請求項１から４のいずれかに記載の頭部装着体。
【請求項６】
　前記帽体部の下周縁部の左右に連結される顎紐を備え、
　その顎紐の連結位置は、前記帽体部の前後方向略中央部よりも前記鍔部側とされていることを特徴とする請求項１から５のいずれかに記載の頭部装着体。
【請求項７】
　前記帽体部の下周縁部の左右に連結される顎紐と、その顎紐を顎部に締め付けるために前記顎紐の長さを調整する調整手段と、前記顎紐に結着される笛とを備え、
　前記笛の結着位置は、前記調整手段よりも前記顎紐の先端側とされていることを特徴とする請求項１から６のいずれかに記載の頭部装着体。
【請求項８】
　前記帽体部の下周縁部から下方に吊設された前記垂布を上方へ向けて巻回または折り畳んだ場合に、その巻回または折り畳まれた垂布を前記帽体部の外側面に保持する保持手段を備えていることを特徴とする請求項１から７のいずれかに記載の頭部装着体。
【考案の詳細な説明】
【技術分野】
【０００１】
　本考案は頭部装着体に関し、特に、非使用時には、収納部内に備品を収納することができる頭部装着体に関するものである。
【背景技術】
【０００２】
　近年、地震や火災などにより甚大な被害が発生しており、防災ずきんの必要性が見直されている。この防災ずきんは、頭部から首筋部を覆うタイプのものが一般的であり、従来より、軽さや丈夫さだけでなく、防水性や難燃性を有する素材を使用したものも種々提案されている。
【特許文献１】特開平８−２５２３３６号公報
【考案の開示】
【考案が解決しようとする課題】
【０００３】
　しかしながら、災害は突然起こる一方、避難に必要な備品が身近にまとまって保管されていないため、実際の災害時においては、必要な備品をすべて見つけ出し、それらを適格に使用して迅速に避難することが困難であるという問題点があった。
【０００４】
　本考案は上述した問題点を解決するためになされたものであり、収納部を設け、非使用時には、その収納部内に備品を収納した状態で保管しておくことができる頭部装着体を提供することを目的としている。
【課題を解決するための手段】
【０００５】
　この目的を達成するために、請求項１記載の頭部装着体は、頭部に被せられる帽体部と、その帽体部の前側に形成される鍔部とを備えるものであり、前記帽体部の下周縁部から下方に吊設され、首筋部および両耳部を覆う垂布と、その垂布の右側外側部に配設される第１係合部と、その第１係合部と係合脱離可能に形成され、前記垂布の左側外側面であって前記第１係合部と対応する位置に配設される第２係合部とを備え、前記垂布を前記帽体部内に収納すると共に、前記第１係合部と第２係合部とを係合することにより、前記帽体部内に袋状の収納部を形成可能に構成されている。
【０００６】
　請求項２記載の頭部装着体は、請求項１記載の頭部装着体において、前記垂布は、前記帽体部内に収納された場合に、その先端部を折り返すことにより、前記袋状の収納部の開口部を閉封可能な長さに構成されている。
【０００７】
　請求項３記載の頭部装着体は、請求項１又は２に記載の頭部装着体において、前記帽体部内には、樹脂材料から構成される保護帽が装着されている。
【０００８】
　請求項４記載の頭部装着体は、請求項３記載の頭部装着体において、前記帽体部と保護帽との間には、緩衝材が介装されている。
【０００９】
　請求項５記載の頭部装着体は、請求項１から４のいずれかに記載の頭部装着体において、前記垂布は、その端縁部に反射材が取着されている。
【００１０】
　請求項６記載の頭部装着体は、請求項１から５のいずれかに記載の頭部装着体において、前記帽体部の下周縁部の左右に連結される顎紐を備え、その顎紐の連結位置は、前記帽体部の前後方向略中央部よりも前記鍔部側とされている。
【００１１】
　請求項７記載の頭部装着体は、請求項１から６のいずれかに記載の頭部装着体において、前記帽体部の下周縁部の左右に連結される顎紐と、その顎紐を顎部に締め付けるために前記顎紐の長さを調整する調整手段と、前記顎紐に結着される笛とを備え、前記笛の結着位置は、前記調整手段よりも前記顎紐の先端側とされている。
【００１２】
　請求項８記載の頭部装着体は、請求項１から７のいずれかに記載の頭部装着体において、前記帽体部の下周縁部から下方に吊設された前記垂布を上方へ向けて巻回または折り畳んだ場合に、その巻回または折り畳まれた垂布を前記帽体部の外側面に保持する保持手段を備えている。
【考案の効果】
【００１３】
　請求項１記載の頭部装着体によれば、第１係合部と第２係合部とを係合することにより、帽体部内に袋状の収納部を形成することができるので、頭部装着体の非使用時には、その収容部内に備品を収納して保管しておくことができるという効果がある。よって、例えば、収納部内に手袋やマスク、笛などの防災用の備品をまとまめて保管しておくことにより、災害時には、頭部収納体を防災ずきんとして使用して、頭部や首筋などの負傷などを抑制することができるだけでなく、防災用の各備品をそれぞれ別々に見つけ出す必要がなく、頭部装着体内から取り出すだけで良いので、必要な備品を適格に使用しつつ、迅速に避難することができるという効果がある。
【００１４】
　請求項２記載の頭部装着体によれば、請求項１記載の頭部装着体の奏する効果に加え、垂布は、帽体部内に収納された場合に、その先端部を折り返すことにより、収納部の開口部を閉封することができるので、かかる開口部の閉封により、収納部内に収納された備品が開口部から外部へ脱落することを防止することができるという効果がある。
【００１５】
　請求項３記載の頭部装着体によれば、請求項１又は２に記載の頭部装着体の奏する効果に加え、帽体部内には、樹脂製の保護帽が装着されているので、頭部を保護することができるという効果がある。
【００１６】
　請求項４記載の頭部装着体によれば、請求項３記載の頭部装着体の奏する効果に加え、帽体部と保護帽との間には、緩衝材が介装されているので、外部からの衝撃を吸収して、頭部を保護することができるという効果がある。
【００１７】
　請求項５記載の頭部装着体によれば、請求項１から４のいずれかに記載の頭部装着体の奏する効果に加え、垂布の端縁部には、反射材が取着されているので、夜間に使用する場合には、例えば、自動車のライトなどを反射して、自己の存在を他者に対して認識させることができるという効果がある。
【００１８】
　請求項６記載の頭部装着体によれば、請求項１から５のいずれかに記載の頭部装着体の奏する効果に加え、顎紐を備えているので、その顎紐を利用して、頭部装着体を壁等にぶら下げて保管することができるという効果がある。ここで、頭部装着体への顎紐の連結位置は、帽体部の前後方向略中央部よりも鍔部側とされているので、顎紐を持って頭部装着体を持ち上げた場合には、鍔部側を上方にして頭部装着体を持ち上げることができる。即ち、袋状の収納部の開口部を上方に向けた状態で、頭部装着体を壁等に安定してぶら下げておくことができるので、収納した備品等を脱落させることを防止できるという効果がある。
【００１９】
　請求項７記載の頭部装着体によれば、請求項１から６のいずれかに記載の頭部装着体の奏する効果に加え、顎紐の長さを調整する調整手段を備えているので、顎紐を容易に顎部に締め付けることができるとともに、強風などによって頭部装着体が飛ばされることを防止することができるという効果がある。また、顎紐には笛が結着されているので、かかる笛の紛失を防止することができるという効果がある。更に、この場合には、笛の顎紐への結着位置が調整手段よりも顎紐の先端側とされているので、顎紐を顎部に締め付けた状態のままで笛を使用することができるという効果がある。
【００２０】
　請求項８記載の頭部装着体によれば、請求項１から７のいずれかに記載の頭部装着体の奏する効果に加え、帽体部の下周縁部から下方に吊設された垂布を上方へ向けて巻回または折り畳んだ場合には、その巻回または折り畳まれた垂布を保持手段によって帽体部の外側面に保持しておくことができる。よって、例えば、首筋部などの風通しを確保したい場合などには、垂布を巻回または折り畳んだ状態に保持して、頭部装着体を通常の帽子のように使用することができるという効果がある。
【００２１】
　また、巻回または折り畳まれた垂布は帽体部の外側面に保持されるので、頭部装着体を被った状態のままで横臥した場合には、巻回または折り畳まれた垂布をいわゆる枕として利用することができるという効果がある。よって、頭部が適度な高さに持ち上げられるので、快適に横臥することができる。
【考案を実施するための最良の形態】
【００２２】
　以下、本考案の好ましい実施例について、添付図面を参照して説明する。図１は、本考案の一実施例における帽子１の正面図である。また、図２は、帽子１の側面図であり、図３は、帽子１の背面図である。
【００２３】
　帽子１は、使用時には、頭部や首筋部などを覆う防災ずきんとして使用できる一方、非使用時には、収納部内に防災用具を収納しておくことができるものであり（図７参照）、図１から図３に示すように、頭部に被せられる帽体部２と、その帽体部２の前方に形成される鍔部３と、帽体部２の下周縁部から下方に吊設される垂布４とを備えて構成されている。
【００２４】
　帽体部２には、図１に示すように、ひも状の顎紐５が連結されている。顎紐５には、その顎紐５の長さを調整する長さ調整具６が装着されており、顎紐５を顎部に容易に、且つ、強固に締め付けることができ、強風などによって帽子１が飛ばされることを防止することができる。
【００２５】
　帽体部２の側面部には、図２に示すように、略矩形状のポケット部７が形成されている。このポケット部７は、名前や連絡先、血液型などの各種情報を記載したカードを挿入しておくためのものであり、その挿入されたカードの情報を視認可能とするために、透明な樹脂材料から構成されている。また、帽体部２の背面側には、図３に示すように、寸法を調整するための切れ込み部８が略Ｖ字状に形成されており、その切り込み部８には、ゴムバンド９が取着されている。
【００２６】
　垂布４は、帽子１を装着した際に、首筋部や両耳部、或いは、両肩部や背面部を覆うためのものであり、図１から図３に示すように、帽体部２の下周縁部において、後頭部側（図２右側）から鍔部３と重なる部位（図２左側）までの区間にわたって吊設されている。この垂布４の左右外側部（図２紙面手前側および紙面奥側）には、ファスナー１０が取着されている。
【００２７】
　ファスナー１０は、垂布４に縫着される一対のテープ１１ａ，１１ｂと、それら各テープ１１ａ，１１ｂに固着されると共に他方と互いにかみ合い可能な一対のエレメント１２ａ，１２ｂと、それら各エレメント１２ａ，１２ｂをかみ合わせたり引き離したりしてファスナー１０を開閉するためのスライダー１３とを備えている。なお、ファスナー１０は、金属ファスナー又は樹脂ファスナーのいずれで構成しても良い。
【００２８】
　テープ１１ａ，１１ｂは、帽体部２の下周縁部から所定距離だけ下方に離間した位置に縫着されており、また、両エレメント１２ａ，１２ｂは、図１から図３に示すように、かみ合わせ部を下方（図１から図３下方向）へ向けて配置されている。そのため、ファスナー１０よりも下方に垂下する垂布４を帽体部２内にしまい込み、スライダー１３をかみ合わせ方向（図２左方向）へ移動させることにより、両エレメント１２ａ，１２ｂを互いにかみ合わせて、ファスナー１０を閉じることができ（図５及び図６参照）、帽体部２内には、後述するように袋状の収納部が形成される（図７参照）。
【００２９】
　垂布４の端縁部には、図１から図３に示すように、反射材１４が縫着されている。この反射材１４は、夜間、自動車のライトなどの光を反射する材料から構成されており、夜間に使用する場合には、帽子１の使用者の存在を他者に認識させることができる。なお、かかる反射材１４を蛍光色（例えば、黄蛍光やオレンジ蛍光、グリーン蛍光など）で構成して、雨の日や薄暮時にも良く認識できるように、蛍光効果を発揮し得るように構成しても良い。
【００３０】
　図４は、図１のＩＶ−ＩＶ線における帽子１の断面図である。なお、図４では、垂布４及び顎紐５の一部を省略して図示している。
【００３１】
　帽体部２内には、硬質の樹脂材料から構成される保護帽１５が装着されている。そのため、転倒時や異物の衝突に対して、頭部を保護することができる。なお、保護帽１５は、その頂部に、図４に示すように、複数のスリット状の段部が形成されており、通風性能を確保すると共に、衝撃を効果的に吸収し得るように構成されている。
【００３２】
　また、帽体部２の外布２ａと保護帽１５との間には、ウレタン等のクッション性を有する材料から構成される緩衝材１６が介装されている。そのため、外部からの衝撃を吸収することができるので、転倒時や異物の衝突に対する頭部のより一層の保護を図ることができる。
【００３３】
　なお、帽体部２の外布２ａ及び垂布４は、綿を素材とするものであり、コストを低減しつつ、難燃性を確保している。但し、これら外布２ａ及び垂布４の素材は、綿に限られるわけではなく、耐熱性や難燃性、防炎効果などを有する他の素材を使用することは当然可能である。例えば、化学繊維の素材に、アルミニューム粉末入りの耐熱性ゴムを塗布したものなどである。
【００３４】
　図５は、ファスナー１０を閉じた状態における帽子１の下面図であり、図６は、ファスナー１０を閉じた状態における帽子１の背面図である。なお、図５及び図６では、顎紐５の一部を省略して図示している。
【００３５】
　帽子１のファスナー１０を閉じた場合には、図５及び図６に示すように、帽体部２の下周縁部（図５紙面手前側）とファスナー１０とを連結する垂布４により、帽体部２の下面側が閉封される。その結果、かかる閉封より、帽体部２内には、備品を収容するための収納部が形成される。なお、ファスナー１０よりも下方に垂下する垂布４（図１から図３参照）は、上述したように、帽体部２内にしまい込まれる。
【００３６】
　次に、図７を参照して、帽子１を使用して、備品を保管する方法について説明する。図７は、備品Ｅを収納して保管する帽子１の側面図である。なお、図７では、ポケット部７の図示が省略されている。また、図７では、図示を簡略化して理解を容易とするために、垂布４ａ，４ｂや備品Ｅを模式的に示している。
【００３７】
　帽子１を保管する場合には、まず、上述したように、ファスナー１０よりも下方に垂下する垂布４（図１から図３参照）を帽体部２内に折り返してしまい込む（なお、以下においては、垂布４のうち帽体部２内にしまい込まれる部分を垂布４ａ，４ｂと称す）。
【００３８】
　これにより、帽体部２内には、しまい込まれた垂布４ａ，４ｂにより袋状の収納部が形成されるので、かかる袋状の収納部内へ備品Ｅを収納すると共に、垂布４ｂ、即ち、帽体部２内にしまい込まれた垂布４のうちの先端側に相当する部位を収納した備品Ｅの上に折り返す。なお、備品Ｅとしては、防災用品とすることが好ましく、例えば、手袋やマスク、笛などが例示される。
【００３９】
　そして、スライダー１３を操作して、ファスナー１０を閉じることにより、帽体部２内に形成された袋状の収納部を閉封し（図５及び図６参照）、備品Ｅを帽体部２内に完全に収納した後、図７に示すように、壁Ｗに立設される釘Ｐへ顎紐５の先端を係止する。その結果、帽子１を壁Ｗにぶら下げて保管することができる。
【００４０】
　なお、垂布４ｂを折り返すことにより、図７に示すように、袋状の収納部の開口部（図７上側）を閉封することができるので、例えば、小さな備品Ｅを収納した場合や、帽子１が保管場所から落下して転動したような場合でも、収納した備品Ｅが開口部から外部に脱落することを防止することができる。
【００４１】
　ここで、帽体部２への顎紐５の連結位置は、帽体部２の前後方向（図７上下方向）略中央部よりも鍔部３側（図７上側）とされているので、顎紐５を持って帽子１を持ち上げた場合には、鍔部３側が上方となるように帽子１を持ち上げて、袋状の収納部の開口部を常に上方に向けておくことができるので、収納した備品Ｅを開口部から脱落させることがない。また、図７に示すように、顎紐５の先端を釘Ｐに係止した場合でも、帽子１を後方へ反転させることなく、安定した状態で壁Ｗにぶら下げておくことができる。
【００４２】
　以上のように、本実施例の帽子１によれば、非使用時には、収納部に備品Ｅを収納して、それら各備品Ｅをまとまった状態で保管しておくことができる。よって、地震などの災害が発生して避難する場合には、避難に必要な備品Ｅが帽子１と共にすべてまとまった状態で保管されているため、各備品Ｅをそれぞれ別々に見つけ出す必要がなく、各備品を帽子１から取り出すだけで使用することができる。従って、各備品Ｅおよび防災ずきんとしての帽子１を使用して迅速に避難することができるのである。
【００４３】
　以上、実施例に基づき本考案を説明したが、本考案は、上記実施例に何ら限定されるものではなく、本考案の趣旨を逸脱しない範囲で種々の変形が可能であることは、容易に推察されるものである。
【００４４】
　例えば、上記実施例では、備品Ｅとしての笛が帽子１の帽体部２内に収納される場合を説明したが、必ずしもこれに限られるわけではなく、例えば、かかる笛を顎紐５に結着するように構成しても良い。これにより、笛の紛失を防止することができる。
【００４５】
　なお、この場合には、笛の顎紐５への結着位置は、長さ調整具６よりも顎紐５の先端側（図１下側）とすることが好ましい。これにより、長さ調整具６を使用して、顎紐５を顎部に締め付けた場合でも、その状態のままで笛を使用することができる。
【００４６】
　また、上記実施例では、帽子１を防災ずきんとして使用する場合を説明したが、必ずしもこれに限られるわけではなく、帽子１を他の用途に使用することは当然可能である。例えば、ゴルフや魚釣り、山登りなど、野外で長時間作業する場合の日除け及び頭部保護の用途に帽子１を使用することは当然可能である。垂布４により直射日光を避けることができるので、野外での作業を快適に行うことができると共に、帽子１の非使用時には、かかる作業に必要な備品を帽体部２内に収納して保管しておくことができる。
【００４７】
　更に、上記実施例では、請求項１記載の第１係合部および第２係合部として、ファスナー１０（エレメント１２ａ，１２ｂ）を使用する場合を説明したが、必ずしもこれに限られるわけではなく、第１係合部および第２係合部を異なる係合手段で構成するとことは当然可能である。かかる係合手段としては、例えば、雄雌からなる面ファスナーやスナップ、或いは、ボタンとボタン穴などが例示される。
【００４８】
　なお、上記実施例では特に説明しなかったが、垂布４を帽体部２の外側面に保持可能に構成しても良い。かかる構成を変形例として図８を参照して説明する。図８（ａ）は、変形例における帽子１の斜視図であり、図８（ｂ）は、変形例における帽子１の背面図である。図中では、顎紐５の図示が省略されると共に、理解を容易とするために、巻回された垂布４が模式的に図示されている。
【００４９】
　変形例における帽子１は、複数（本変形例では２つ）の保持ベルト１７を備えている。この保持ベルト１７は、その先端側に係合部１７ａが形成されており、帽体部２の外側面に配設される被係合部と係合脱離可能に構成されている。なお、係合部１７ａ及び被係合部としては、例えば、雄雌からなる面ファスナーやスナップ、或いは、ボタンとボタン穴などが例示される。
【００５０】
　よって、帽体部２の下周縁部から下方に吊設された垂布４（図１から図３参照）を上方へ向けて巻回し、保持ベルト１７の先端の係合部１７ａを帽体部２の被係合部に係合することにより、図８に示すように、垂布４を帽体部２の外側面に巻回された状態で保持しておくことができる。従って、例えば、首筋部などの風通しを確保したい場合などには、垂布４を巻回された状態に保持して、帽子１を使用することができる。
【００５１】
　また、巻回された垂布４は帽体部２の外側面に保持されるので、帽子１を被った状態のままで横臥した場合には、巻回された垂布４をいわゆる枕として利用することができる。よって、頭部を適度な高さに持ち上げて、快適に横臥することができる。なお、垂布４は、図８に示すように、必ずしもロール状に巻回する必要はなく、所定長さ毎に複数回だけ折り畳み、保持ベルト１７で保持するようにしても良い。
【図面の簡単な説明】
【００５２】
【図１】本考案の一実施例における帽子の正面図である。
【図２】帽子の側面図である。
【図３】帽子の背面図である。
【図４】図１のＩＶ−ＩＶ線における帽子の断面図である。
【図５】ファスナーを閉じた状態における帽子の下面図である。
【図６】ファスナーを閉じた状態における帽子の背面図である。
【図７】備品を収納して保管する帽子の側面図である。
【図８】（ａ）は、変形例における帽子の斜視図であり、（ｂ）は、変形例における帽子の背面図である。
【符号の説明】
【００５３】
１　　　　　　　　帽子（頭部装着体）
２　　　　　　　　帽体部
３　　　　　　　　鍔部
４　　　　　　　　垂布
４ａ　　　　　　　垂布（垂布の先端部）
５　　　　　　　　顎紐
６　　　　　　　　長さ調整具（調整手段）
１０　　　　　　　ファスナー
１２ａ　　　　　　エレメント（第１係合部）
１２ｂ　　　　　　エレメント（第２係合部）
１４　　　　　　　反射材
１５　　　　　　　保護帽
１６　　　　　　　緩衝材
１７　　　　　　　保持ベルト（保持手段）
１７ａ　　　　　　係合部（保持手段の一部）
【図１】
0003100077.tif 000003
【図２】
0003100077.tif 000004
【図３】
0003100077.tif 000005
【図４】
0003100077.tif 000006
【図５】
0003100077.tif 000007
【図６】
0003100077.tif 000008
【図７】
0003100077.tif 000009
【図８】
0003100077.tif 000010